(57)【要約】【課題】　高感度の蛍光偏光測定用装置の提供。【解決手段】　光を排除する筺体と、その内部に配置された、波長範囲の狭い偏光を生成する励起手段と、該偏光によって照射される試料チャンバーと、該試料チャンバーからの蛍光発光を偏光させるフィルム型の発光偏光子と、該蛍光発光を検出する検出手段と、該蛍光発光を該検出手段上に集中させる発光レンズと、からなることを特徴とする、蛍光発光の偏光を測定するための装置。【選択図】なし【特許請求の範囲】
【請求項１】
　蛍光発光の偏光を測定するための装置であって、
　光を排除する筺体と、その内部に配置された、
　波長範囲の狭い偏光を生成する励起手段と、
　該偏光によって照射される試料チャンバーと、
　該試料チャンバーからの蛍光発光を偏光させるフィルム型の発光偏光子と、
　該蛍光発光を検出する検出手段と、
　該蛍光発光を該検出手段上に集中させる発光レンズと、
からなることを特徴とする装置。
【請求項２】
　蛍光発光の偏光を測定する装置であって、
　光を排除する筺体と、その内部に配置された照射手段および検出手段とからなり、該照射手段は、コリメーターレンズおよびフォーカシングレンズを通して、かつ、さらに該照射手段からの光を平面偏光させる第１の偏光手段を通して、試料チャンバーを照射するように配置され、該レンズおよび第１の偏光手段は該照射手段と該試料チャンバーとを結ぶ線分上に配置され、さらに該試料チャンバーは２個の更なる偏光手段の間に配置され、該偏光手段はそれらの間を結び該試料チャンバーを含む線分が該照射手段から該試料チャンバーへ至る光路に垂直であるように配置され、該偏光手段は、該第２の偏光手段の偏光面が該第１の偏光手段の偏光面に平行であり、かつ、該第２の偏光手段の偏光面が該第３の偏光手段の偏光面に垂直であるように、配置され、該検出手段は該偏光手段を通って該試料チャンバーから該検出手段へ通過する光の量を収集して定量するためのものである、
　ことを特徴とする装置。
【請求項３】
　前記照射手段がキセノンアークランプである請求項１記載の装置。
【請求項４】
　前記コリメーターレンズおよび前記フォーカシングレンズが光ファイバーケーブルで代用されている請求項１記載の装置。
【請求項５】
　前記照射手段がレーザであり、前記コリメーターレンズ、前記フォーカシングレンズおよび前記第１の偏光手段の各々が存在しない請求項２記載の装置。
【請求項６】
　前記レーザーが同調可能な色素レーザーまたは固体レーザーである請求項５記載の装置。
【請求項７】
　前記偏光手段の各々がＵＶグレードのフィルム偏光子である請求項２記載の装置。
【請求項８】
　前記偏光手段の各々がＵＶグレードのフィルム偏光子である請求項５記載の装置。
【請求項９】
　前記照射手段から前記検出手段へ至る光路の長さが２０ｃｍまたはそれ以下である請求項２記載の装置。
【請求項１０】
　前記照射手段からの光がガラスファイバーによって前記試料チャンバーへ導かれる請求項５記載の装置。
【請求項１１】
　蛍光発光の偏光を測定する装置であって、
　光を排除する筺体と、その内部に配置された照射手段、発光フィルターおよび検出手段とからなり、該照射手段は、励起レンズを通して、かつ、さらに励起フィルターを通して、かつ、さらに固定された平面偏光手段を通して、試料チャンバーを照射するように配置され、該励起フィルターは波長範囲の狭い光のみを通過させ、該平面偏光手段は該試料チャンバーに入射する光を平面偏光させるものであり、これら要素の各々は、該照射手段から該試料チャンバーへ至る光路上に配置され、該試料チャンバーは回転可能な偏光手段と相対的に配置され、該回転可能な偏光手段は、該回転可能な平面偏光手段を通過する光を平面偏光させるためのものであり、該照射手段から該試料チャンバーを通って該回転可能な偏光手段へ至る光路は、試料チャンバーと頂点において直角をなし、該発光フィルターは該試料チャンバーと該回転可能な平面偏光手段との間に配置され、該発光フィルターは波長範囲の狭い光のみを通過させ、該検出手段は該回転可能な偏光手段を通って該試料チャンバーから該検出手段へ通過する光の量を収集して定量するためのものである、
ことを特徴とする装置。
【請求項１２】
　前記照射手段がレーザーであり、前記励起レンズ、励起フィルターおよび前記固定された偏光手段の各々が存在しない請求項１１記載の装置。
【発明の詳細な説明】
【技術分野】
【０００１】
　本発明は、標識した巨大分子からの蛍光発光の偏光の測定を用いる該標識巨大分子の第二の巨大分子への結合を評価することに関する。すなわち、本発明は、そのような結合を定量的に測定する分析方法に向けられている。本発明はまた、蛍光偏光の測定を用いる結合分析を行う装置にも向けられている。
【背景技術】
【０００２】
　巨大分子の分析において標識オリゴヌクレオチドをプローブとして使用することは分子生物学における重要な技術である。オリゴヌクレオチドは、ラジオアイソトープ、酵素または蛍光分子で標識されてきた。
【０００３】
　オリゴヌクレオチドが比較的低分子であり、また、それらの自動化合成用の機器化の利用性が普及した故に、オリゴヌクレオチドは、しばしば、それらが会合できる巨大分子類の検出、定量評価のためのブロット−ハイブリダイゼーション操作またはゲル遅延（gel-retardation）分析に使用されている。これらの巨大分子類は、蛋白、ＲＮＡ分子またはＤＮＡ分子のいずれであってもよい。
【０００４】
　標準的なブロット−ハイブリダイゼーション操作において、標的巨大分子はゲル・マトリックス、一般的には、アガロースまたはポリアクリルアミド中で電気泳動により分離される。ついで、ゲル・マトリックス中のその相対的空間位置を保持するような方法で膜に移され、それを膜に安定に固定する。別法として、巨大分子は、あらかじめ電気泳動することなく、膜に付着させることができる。膜上での巨大分子の存在は、それに標識オリゴヌクレオチドを結合させ、その複合体をオートラジオグラフィーに付すか、オリゴヌクレオチドがラジオアイソトープで標識されている場合は、シンチレーション計数することにより測定される。
【０００５】
　標準的なゲル遅延分析法において、ラジオアイソトープまたは他の検出できる基（moiety）で標識されたオリゴヌクレオチドは、一般的には、アガロースまたはポリアクリルアミド製のゲル・マトリックス中で、非変性条件下、電気泳動に付される。標識オリゴヌクレオチドは、また、該オリゴヌクレオチドと結合できる蛋白と会合し、その混合物が、一般的には隣のレーンでゲル上の電気泳動に付され、非会合オリゴヌクレオチドと対比される。その高分子量および少ない陰性帯電故に、蛋白は非会合オリゴヌクレオチドよりもゲル中にて低い移動度を示す。オリゴヌクレオチドが蛋白と安定な複合体を形成する場合も、非会合オリゴヌクレオチドよりも低い移動度を示す。蛋白の存在下および非存在下におけるオリゴヌクレオチドの移動度を比較することにより、２つの分子間で複合体が形成されたか否かを定量的に測定できる。これらの基本的方法は、基本的遺伝子研究、遺伝子工学、医学および農学テストにおける非常に多くの種類の測定に使用されている。
【０００６】
　本発明は、オリゴヌクレオチドに共有的に結合した外因性発蛍光団の蛍光の偏光を測定することを特徴とする核酸と蛋白または他の巨大分子との間の複合体形成を検出し、定量する方法に関する。該オリゴヌクレオチドはオリゴデオキシリボヌクレオチド、オリゴリボヌクレオチドまたは両方のコポリマーであってよい。ヌクレオチド塩基は、主鎖と同様、誘導化できる。オリゴヌクレオチドは一本鎖、二本鎖または三本鎖であってよい。オリゴヌクレオチドの長さは特定の実験を行って決定されるが、好ましくは４０残基長以下、さらに好ましくは２５残基長以下、最も好ましくは８〜１０残基長以下である。
【０００７】
　発蛍光団は、標準的な自動化ＤＮＡ合成技術および蛍光標識されたアミノ・リンカー化合物（例えば、カリフォルニア州、ラ・ジョーラ、クローンテック社（Clontech，Inc.，La Jolla，CA）から入手可能）を用い、オリゴヌクレオチドのいずれの部位にも組み込むことができる。別法として、非標識アミノ・リンカー化合物を組み込んだ後、蛍光化合物で標識することができる。フルオレセイン、エオシン、クマリンおよびダンシル誘導体を包含する種々の発蛍光団が使用できる。オリゴヌクレオチドの短鎖周囲の高速旋光が、オリゴヌクレオチドに共有的に結合した該プローブの蛍光偏光の低い値をもたらす。この値は蛍光標識されたオリゴヌクレオチドを適当な波長の平面偏励起光で励起し、励起光の偏光面に対して平行および垂直平面で偏光された発光をモニターすることにより得られる。蛍光偏光は：
Ｐ＝（ＩＨ−ＩＬ）／（ＩＨ＋ＩＬ）
（式中、ＩＨは、励起光の偏光面に平行な平面で偏光された発光強度であり、ＩＬは励起光の偏光面に垂直な平面で偏光された発光強度である。）に従って計算される。
　発光の異方性は、
２／３［１／（１／ｐ−１／３）］
である。この値は総蛍光発光強度に関する未だ直線的な偏光に近似する。
【０００８】
　蛍光偏光は、薬物、ステロイドおよびその他の抗原の臨床検出用の一連の特許された検定の基礎となっている（特許文献１〜９参照）。多くの変形があるが、これらの検定のいずれもが、目的とする薬物が検定溶液中に存在する場合の特異的または非特異的抗体との相互反応を変化させるときの、フルオレセインの蛍光偏光中の１つの大きな変化の観察に依存している。もし、薬物の存在が、例えば、フルオレセイン−抗体複合体の解離をもたらせば、蛍光偏光が大きな減少を示す。これらの検定の感度は１０ｐＭ以下である。ユリオス（Urios）とチッタノワ（Cittanova）は、蛍光偏光測定を行うため、抗体の蛍光標識したＦabフラグメントの使用を記載している（非特許文献１参照）。彼等の検定の感度は２.５μＭである。蛍光標識オリゴヌクレオチド・プローブの使用はムラカミ（Murakami）らにより報告された（非特許文献２参照）。彼等の報告した感度は１００ｎＭであった。ギードロック（Giedroc）らは一本鎖ＤＮＡ分子の存在の評価において蛍光異方性を使用した（非特許文献３参照）。彼等の検定は２〜８μＭのオリゴヌクレオチド濃度で行われた。
【特許文献１】米国特許第４２６９５１１号明細書
【特許文献２】米国特許第４５１６８５６号明細書
【特許文献３】米国特許第４５８５８６２号明細書
【特許文献４】米国特許第４６６８６４０号明細書
【特許文献５】米国特許第４７８４９６１号明細書
【特許文献６】米国特許第４９０２６３０号明細書
【特許文献７】米国特許第４９５２６９１号明細書
【特許文献８】米国特許第５０６６４２６号明細書
【特許文献９】欧州特許出願第８６１０２０２０３５.２号明細書
【非特許文献１】ユーリオス,ピー（Urios, P）およびシタノヴァ,エヌ（Cittanova, N.）（1990）Anal. Bioc. 185 308-12
【非特許文献２】ムラカミ,エイ（Murakami, A.), ナカウラ,エム（Nakaura, M.), ナカツジ,ワイ（Nakatsuji, Y.), ナガハラ,エス（Nagahara, S.), トラン−コン,キュー（Tran-Cong, Q.)（1991）ヌークリイック・アシッズ・リサーチ（Nucl. Acids Res.）、19、4907-4912
【非特許文献３】ジエドロク,ディ・ピー（Giedroc, D.P.), カン,アール（Khan, R.）およびバーナート,ケイ（Barnhart, K.）（1991）バイオケミストリー（Biochem.）30 8230-42
【発明の開示】
【発明が解決しようとする課題】
【０００９】
　本発明の目的は、２の巨大分子の相互の結合が、プローブ部位からの蛍光発光の偏光を測定することによって液相で検出できる方法を提供することにある。好ましくは、該プローブを１の巨大分子に結合させ、蛍光偏光の増加によって結合を直接測定する。本発明の第２の目的は、非常に少量の試料にて蛍光偏光測定を定量的に行うことができるように、かかる測定を高感度で行うのに適した装置を提供することにある。該装置の好ましい具体例において、１フェムトモルもの少量の発蛍光団の蛍光発光の偏光の検出ができる。
【００１０】
　本発明の第３の目的は、第２のポリヌクレオチド、または別法として蛋白のいずれかに共有結合した発蛍光団からの発光の偏光を定量することによって、かかるポリヌクレオチド等へのポリヌクレオチドの結合を測定することに基づく診断方法を提供することにある。
【課題を解決するための手段】
【００１１】
　本発明は、蛍光標識オリゴヌクレオチドと蛋白および核酸のごときもう１つの巨大分子との間の会合を迅速かつ正確に、溶液中で高感度をもって測定できる方法を提供する。特に、本発明は、オリゴヌクレオチドに共有結合した外因性蛍光プローブの蛍光の偏光を測定することによって、各々が非常に低濃度で、オリゴヌクレオチドと標的巨大分子の間の複合体の形成（すなわち、安定で、特異的な非共有結合的会合）の検出に関する。蛍光偏光検出は、相互作用する巨大分子の不存在下で蛍光標識オリゴヌクレオチドの回転相関時間と比較して、蛋白または他の巨大分子がそれと複合体化した場合に回転粒子の大きさの増加の結果としての、オリゴヌクレオチドに共有結合したプローブの回転相関時間の増加に基づくものである。適当な装置を用いて、蛍光偏光の測定を非常に迅速に、通常５〜１０分のオーダーで行うことができる。対照的に、前記したブロットハイブリダイゼーションまたはゲル遅延分析は丸一日かかり、終了するのにしばしば非常に長くかかる。巨大分子分析における蛍光偏光測定の別の使用が記載されている（１５−１７）。しかしながら、これらの方法は、実際的な適用に有用な適度な感度を与えるものではない。生体巨大分子はしばしば極端に少量で見い出され、ナノモルレベル未満の分析感度を要する。本発明で記載する方法は、十分に必要とされる範囲内であり、他の報告されているものの少なくとも１０,０００倍大きい感度であるピコモルレベルで行う測定を可能とする。巨大分子分析の別の方法は、大いに定性的であり、従って、不正確である。本発明の方法は、より正確な定量的測定を与える。
【００１２】
　高感度、かくして、低濃度の相互作用分子の正確な定量分析に対する高いシグナル−ノイズ比が、Ｏrielの矩形ないし丸い溶融シリカ繊維の光学ケーブルを通して試料室に連絡したＩＬＣ３００ワットのキセノンアーク灯／ＩＳＡモノクロメーター励起源を用いて達成される。発光における交差したＴ−フォーマットにおける試料ホールダーに設けられかつ励起において平行の向きのフイルム偏光子が検出を１０ピコモル限界まで可能にする。蛍光は励起源強度に比例するので、レーザー励起源を使用すると、感度が１０ないし１００倍となり、十分にピコモル下の範囲の試料濃度となることが予想される。
【００１３】
　その他いくつかの具体的な装置を用いることができる。図５および図６に例示するような、固定した偏光エレメントを用いるＴ字フォーマットを回転可能な発光偏光子を用いるＬ字フォーマットに変えることができる。レーザー照射手段の使用は、（レーザー光はその特性により平面偏光されているため）励起偏光子エレメントおよび励起光をフォーカスするためのレンズの必要性を排除する。数種の波長に整調できるレーザー、例えば、ダイ・レーザーの使用は、本発明の検定にて蛍光標識として用いることができる化合物にてより大きな適応性を有する装置を提供する。
【発明を実施するための最良の形態】
【００１４】
　本発明の好ましい具体例は、図５および図６を参照することで認識できる蛍光発光の偏光の測定装置であって、
　コリメーターレンズ（３）および励起フォーカスレンズ（４）を通して、光を収集し、試料チャンバー上に該光をフォーカスさせ、さらに第１の偏光手段を通して、照射手段（６）からの光を平面偏光させて試料チャンバー（７）を照射するように照射手段（１）が配置されており、該レンズおよび第１の偏光手段が該照射手段と該試料チャンバーを結ぶ線分上に取り付けられ、さらに該試料チャンバーが２つのさらなる偏光手段（８および８ａ）の間に取り付けられ、該偏光手段がそれらと試料チャンバーを含む線分が該照射手段から該試料チャンバーに至る光路に垂直であるように配置され、該偏光手段が該第２の偏光手段の偏光面が該第１の偏光手段の偏光面に平行であるように、さらに該第２の偏光手段の偏光面が該第３の偏光手段の偏光面に垂直であるように取り付けられる光の排除用筐体からなり、該筐体中に該試料チャンバーから該検出手段に至る該偏光手段を通過する光を収集し、定量するための検出手段（１２および１２ａ）が配置されている装置である。発光偏光子と検出手段の間に、発光偏光子から検出手段に至る狭範囲の波長の光を選択的に通過させるための発光フィルター（９、９ａ）および試料チャンバーから検出手段上に現れる光をフォーカスするための発光レンズ（１０、１０ａ）を挿入する。さらに、シャッター（１１、１１ａ）を発光レンズと検出手段の間に挿入して検出手段への入光を調整し、照射手段と試料室（図６の１１ｂ）の間に挿入し、試料室への入光を調整できる。別の仕切り室（１３）にて、シャッターおよびモノクロメーター（monochromater）（設置されているならば）を駆動させるためのモーター、およびデータ収集および処理のための電気装置からなる付加的構成部分が収められている。
【００１５】
　別の好ましい具体例において、本発明は、図７および図８を参考にすることにより理解できる蛍光発光の偏光を測定するための装置であって、
　光を排除する筐体と、その内部に配置された照射手段（１）、発光フィルター（７）および検出手段（１１）とからなり、該照射手段（１）は、励起光を試料チャンバー上にフォーカスするための励起レンズ（３）を通し、さらには励起フィルター（４）を通して、かつ最後に固定された平面偏光手段を通して、試料チャンバー（６）を照射するように配置され、該励起フィルターが狭範囲の波長の光だけを通し、該平面偏光手段は該試料チャンバー（５）に入射する光を平面偏光させるものであり、エレメント３および４および５が、各々、該照射手段から該試料チャンバーに至る光路中に配置され、該試料チャンバーが回転可能な偏光手段（８）に対して相対的に取り付けられ、該回転可能な平面偏光手段が、該回転可能な平面偏光手段を通過する光を平面偏光させるためのものであり、該照射手段から該試料チャンバーを介して該回転可能な偏光手段に至る経路が試料チャンバーと頂点で直角を形成し、該発光フィルター（７）は試料チャンバーと該回転可能な平面偏光手段の間に挿入され、該発光フィルターが狭範囲の波長の光だけを通過させ、該検出手段（１１）は該回転可能な偏光手段を介して該試料チャンバーから該検出手段に通過する光線量を収集して定量する装置を提供する。所望により、光源と励起レンズの間に特定波長の光を選択するためのモノクロメーター（２）を挿入し、試料チャンバーを照準してもよい。該発光偏光子と該検出手段の間に、該試料チャンバーから該検出手段中に入る光をフォーカスするための発光レンズ（９）、さらに光の該検出手段への入射を調整するための発光シャッター（１０）を挿入する。所望により、該照射手段と該試料仕切り室の間に、該試料仕切り室に至る光の入射を調整するための励起シャッター（図８中、１３）を挿入してもよい。該装置の他の構成部分は、別々に、発光偏光子を回転させるためのモーターならびにシャッターおよびモノクロメーターを制御するための電気装置およびモーターを含め、データ処理のための電気装置を有する。
【００１６】
　図６および図８を参考にすることにより、光源がレーザーである場合、レーザー光は内方向に偏光されるため、励起偏光子が必要でないことが容易に認識できる。同様に、レーザー光はその特性により励起コリメーターおよびフォーカスレンズが不要である。
【００１７】
　当該分野における周知技法により、蛍光標識は巨大分子に共有結合させることができる。オリゴヌクレオチドプローブはその主鎖に沿って有機塩基の位置で標識されるか、またはいずれか末端で標識できる。オリゴヌクレオチドの発蛍光団での末端標識は、該発蛍光団のＮ−ヒドロキシスクシンイミドエステルを、オリゴヌクレオチドの合成の間に生成されるオリゴヌクレオチドの５'−アミノ基に化学結合させることにより、またはオリゴヌクレオチドの合成にて発蛍光団で誘導されるホスホルアミダイト試薬を用いることにより行うことができる。オリゴヌクレオチドはまた、末端トランスフェラーゼを用いて蛍光標識したヌクレオチドと連結させることにより３'末端で標識できる。
【００１８】
　本発明は、蛋白、オリゴヌクレオチド、ＤＮＡ、ＲＮＡおよび生物学的または合成の他の巨大分子の分析に有用であると考えられる。本発明に記載の技法は液相にて行われるため、該方法は、ポリヌクレオチドと他の巨大分子の間の複合体形成を促進するかまたは干渉する溶液のそれら変数、例えば、pＨ、塩濃度または共同因子の存在を同定するのに有用である。本明細書に記載の技法の感度は、複合体形成が１μＭより小さい巨大分子の濃度で分析できるものである。該検定は、１μＭの巨大分子の濃度で容易に実施でき、１０〜１００ｐＭの範囲の濃度で行うことができる。
【００１９】
　フルオロセインに限定されるものではないが、エオシンおよびクマリンを包含する広範囲の発蛍光団を用いて標識したオリゴヌクレオチドをプローブとして用いてもよい。発蛍光団の強度は本発明を限定しない。本発明は巨大分子の存在、定性または定量測定、または分子間の特異的化学変数もしくは定数の測定を包含し、蛍光標識したオリゴヌクレオチドの蛍光偏光の測定に利用される。
【００２０】
　本発明はこのように記載され、該発明の好ましい具体例を以下の実施例にて説明する。これらの実施例は単なる例示であり、何ら本発明の範囲を限定するものではない。
【００２１】
　実施例１：蛋白−核酸相互作用をアッセイするための蛍光異方性測定の利用
　蛍光修飾されたオリゴヌクレオチドの蛍光偏光を用いてオリゴヌクレオチドと蛋白との間の複合体が研究された。これは、クレノウフラグメントと５−ジメチルアミノナフタレン−１−スルホンアミドで標識されたプライマーとの相互作用の研究に関するものであった（１２）。しかしながら、これらの研究の目的は、該複合体に関する特別な構造上の情報を得ることであった。研究に用いた蛍光発色団および手段の選択のために、このアッセイの感度は約１０μＭであり、本発明の検出限界よりも１０００００倍感度が低かった。実際のところ、検出に必要な濃度が、分子種間の解離定数の値よりも少なくとも１００００倍大きかったので、それらの研究において、その著者らは蛋白とオリゴヌクレオチドとの間の相互作用の強度を確実に定量することができなかった。
【００２２】
　ｌａｃプロモーター配列を含む３２塩基対の２本鎖オリゴデオキシヌクレオチドに共有結合した７−ジメチルアミノ−３−(４'−マレイミジルフェニル)−４−メチルクマリンの蛍光偏光を用いてｃＡＭＰ受容体蛋白とそのｌａｃプロモーター配列との間の複合体形成がモニターされた（１３）。この特別なアッセイにおける検出濃度の限界（１０μＭ）は、相互作用エネルギーよりも数オーダー大きかった。さらに、それは、ピコモル濃度において分析対象を検出することができる本発明記載のアッセイ感度よりも１０００倍大きい。
【００２３】
　本発明の方法論は、１本鎖または２本鎖オリゴヌクレオチドと蛋白または他の高分子との相互作用による、１本鎖または２本鎖オリゴヌクレオチドに結合した蛍光プローブの蛍光の異方性または偏光の変化を観察することに基づく。蛋白−ＤＮＡ相互作用をモニターする実験の最初のセットにおいて、オリゴデオキシリボヌクレオチドは２５量体であり、それは、自動ＤＮＡ合成において蛍光標識されたホスホラミダイト試薬を用いてセンス鎖の５'−末端がフルオレセインで標識されたものであった。該オリゴデオキシリボヌクレオチドは市販されていた。該センス鎖の配列は以下のごとし（Ｆ＝フルオレセイン）：
５'−Ｆ−ＣＴＴＧＣＡＣＴＡＧＴＴＡＡＣＴＡＧＴＣＡＧＣＡＡ−３'
【００２４】
　中央部のＣＴＡＧＡＡＴＴＣＴＡＧ配列は、コリプレッサー（co-repressor））であるトリプトファンの存在下で、標的配列に高い親和性（ゲル遅延アッセイにより０.５ｎＭと決定,カレイ（Carey））（１９８８年））で結合するトリプトファンリプレッサー蛋白の特異的オペレーター結合部位である。よって、これらの研究に用いる蛋白は、過剰発現され、チョウ（Chou）ら（１０）により改変されたパルー（Paluh）およびヤノフスキー（Yanofsky）の方法（９）を用いて精製されたトリプトファンリプレッサーである。
【００２５】
　２本鎖オリゴデオキシリボヌクレオチドのアンチセンス鎖を標識しなかった。５００ｍＭ　ＫＣｌ、１０ｍＭホスフェート、０.１ｍＭ　ＥＤＴＡ,ｐＨ７.０中に最終濃度約１０〜１００μＭとなるように溶解することにより、２本の鎖をアニーリングさせた。２６０ｎｍにおける光学密度より評価された２本の鎖の等モル混合物および鎖の配列を調製し、８５℃で１０分間加熱し、次いで、ゆっくりと室温まで冷却した。
【００２６】
　フルオレセイン標識された２本鎖オリゴデオキシリボヌクレオチドを、通常は、全体積７００μｌ中、最終濃度０.２ｎＭにまで希釈し、小体積用１.２ｍｌの石英キュベットに入れた。希釈に用いるアッセイ緩衝液は、１０ｍＭリン酸カリウム、０.１ｍＭ　ＥＤＴＡ,ｐＨ７.６であり、さらに１０％グリセロールを含有し、いくつかの場合には０.４ｍＭトリプトファンを含有していた。希釈後、ＫＣｌ濃度は減少し、１ｍＭよりも十分低くなった。その溶液を、各偏光測定５分前に平衡化させた。
【００２７】
　蛍光偏光または異方性を、ＩＳＳ　ＫＯＡＬＡＴＭ自動蛍光計を用いたＬ−フォーマットまたは我々のオリジナルの試料ホルダーおよび超高感度測定用ポーラライザー配置を用いたＴ−フォーマットにおいて測定した。励起光を４８８ｎｍにセットし、ホヤ・オプティクス（Hoya optics）製のＹ５２０長経路フィルターを通してエミッションをモニターした。１０ｎＭ未満の濃度においては無視できない緩衝液からのバックグラウンド蛍光を、特性の揃ったキュベット中における試料および緩衝液の水平ならびに垂直成分の連続的測定により差し引いた。
【００２８】
　測定の感度および精度
　体積変化によりオリゴデオキシリボヌクレオチドの全濃度が１０％以上減少しないように、極めて少量の蛋白（２μｌ）を連続的に添加することによりアッセイを行った。図１Ａおよび１Ｂのプロットは、２量体として表された蛋白濃度の対数に対してプロットした場合、フルオレセイン標識オリゴデオキシリボヌクレオチドおよび０.４ｍＭ　Ｌ−トリプトファンを含む溶液への蛋白の連続的添加により、蛍光の異方性がＳ字型に増加することを示す。各測定を４回繰り返し、結果を平均した。各測定における誤差は、＋／−０.００２偏光単位であった。２０ｐＭのオリゴデオキシリボヌクレオチドのうち１０％のみが蛋白に結合する場合にはいつでも、異方性の値の変化は測定誤差を十分に超えるものであることが理解できる。
【００２９】
　我々は、ナノモル以下の量のオリゴデオキシリボヌクレオチドを検出でき、その蛋白への結合が測定誤差よりも１５倍大きい信号の変化を発生させることを、図１Ａにおいて示す。
【００３０】
　実施例２：蛋白−核酸相互作用の熱力学モデルを評価するための蛍光異方性測定の利用
　これらのデータを、図１Ｃおよび１Ｄに示す２つの熱力学的モデルにおいて分析した。第１のモデル（１Ｃ）は、分子種が遊離蛋白、遊離ＤＮＡおよび蛋白−ＤＮＡ複合体のみである単純な蛋白−ＤＮＡ結合モデルである。第２のモデル（図１Ｄ）においては、１量体−２量体平衡が蛋白−ＤＮＡ結合平衡に加重されている。これら２つのモデルおよび数値平衡分析プログラムＢＩＯＥＱＳ（２０）を用いたデータの適合を、図１Ａおよび１Ｂに示す。単純結合モデルを用いて得られたトリプトファンリプレッサー２量体−ＤＮＡ相互作用に関する解離定数は、０.８３ｎＭであることがわかった。関連平衡モデルを用いたデータの適合は、２量体−ＤＮＡ解離定数０.２３ｎＭおよび２量体−１量体解離定数３.５ｎＭを与えた。データの質は、単純結合モデルを排除するに十分であり、その適合は、関連平衡の場合にはずっと高度な質である（図１Ａおよび１Ｂと比較）。厳格な信頼性レベル試験により、＋／−０.３ｋｃａｌにおいて６７％限界の２量体−ＤＮＡ親和性に関するＸ２の急激なくぼみが明らかになる（図２）。よって、低濃度における複合体形成が検出されうるのみならず、データの質は、データの適合から親和性を決定でき、別の熱力学的モデルの効果の評価が行えるに十分である。
【００３１】
　実施例３：溶液中の多成分系の分析における蛍光異方性測定の利用
　ＤＮＡオリゴヌクレオチド濃度の変更およびインビボにおいて見られる濃度（約１μＭ）に対する蛋白滴定の効果を図３に示す。比較的高分子の、よって、比較的高い異方性の複合体は、これらの蛋白およびＤＮＡが比較的高濃度である場合に好ましいことが理解できる。これは、溶液に基づくアッセイであるため、いかなる成分の濃度であっても容易に変更することができる。かくして、図４において、アッセイ緩衝液からのトリプトファン省略の影響を理解することができる。２０ｎＭのオリゴデオキシリボヌクレオチドを用いて、トリプトファンコリプレッサー不存在下、リプレッサー蛋白２量体中、上記約１μＭの蛋白濃度において、結合が観察されるだけである。
【００３２】
　よって、我々は、これらのアッセイを用いて、蛋白と核酸との間の複合体の形成に対する特異的リガンドまたは他の薬剤の影響を定量的にアッセイできることを示した。
【００３３】
　図１ないし４に示す結果は、蛍光標識されたオリゴデオキシリボヌクレオチドの蛍光の偏光または異方性を用いて、オリゴデオキシリボヌクレオチドと蛋白および他の大型の生物学的分子との相互作用を、高感度かつ高精度で検出できることを明確に示す。フルオレセインの蛍光シグナルは、全体積５００μｌ中、１０ｐＭ程度の低濃度において検出された。１０フェムトモルの蛍光標識された標的配列を用いて１フェムトモルの特定のＤＮＡ結合蛋白が容易に検出され、オリゴヌクレオチドのうちの１０％の結合は、正確に測定できるシグナルの変化を生じることが示される。高感度であることおよび高いデータの質は、複合体形成の検出のための手段、さらには相互作用のエネルギー強度の極めて正確な決定ならびに熱力学的結合モデル間の区別のための手段を提供する。このアッセイは非常に迅速で、１ポイントあたりわずか５〜１０分しかかからない。このアッセイは溶液に基づくので、小型のリガンドおよび薬剤、ｐＨ、塩、温度、および他の溶液の条件の影響を容易に評価することができる。例えば、粗細胞抽出物またはインビトロ翻訳アッセイが、特定のＤＮＡ配列に結合する能力のある蛋白因子を含んでいるかどうかを確認するのに約１０分を要するであろう。完全な滴定曲線およびその分析には４５分を要する。使用容易なこと、溶液に基づく性質および迅速性により、このアッセイは、電気泳動またはフィルター結合に基づく方法よりも優位に改善されている。このアッセイを、転写因子の研究に、そして遺伝子発現の調節における薬剤および他の小型の分子の役割の研究に、広く適用することができる。さらなる適用は、転写因子または他のＤＮＡ結合蛋白の機能をアッセイするための臨床向けの試験を包含する。
【００３４】
　実施例４：核酸間の相互作用をアッセイするための蛍光異方性測定の使用
　他の相補的な一本鎖ＤＮＡまたはＲＮＡ・オリゴヌクレオチドに対する一本鎖オリゴヌクレオチドの結合は、この方法学を用いても検出できる。蛍光の異方性における有意な変化の実証は、５'-フルオレセインで標識した自己相補的な２０merのオリゴデオキシリボヌクレオチド、すなわち、
５'-Ｆ-ＣＧＡＡＣＴＡＧＴＴＡＡＣＴＡＧＴＡＣＧ-３'
(Ｆとはフルオレセインを示す)を用いて行った。自己での二本鎖複合体の形成による、該変性一本鎖オリゴデオキシリボヌクレオチドの自己の二本鎖形態への変換上で、該異方性の変化が起こる。試験は３回行った。各試験において、２つの試料を比較した。２つの各試料は、ｐＨ７.６、５００μlの１０ｍＭのＫＰＯ４、０.１ｍＭのＥＤＴＡ中、５０ｎＭ濃度の標識オリゴデオキシリボヌクレオチドを含有する。２つの試料の１つ(高塩濃度)は、さらに１ＭのＫＣlを含有する。該高塩濃度試料を９５℃に加熱し、室温に冷却した。高塩濃度での該加熱および冷却により、大部分の一本鎖オリゴデオキシリボヌクレオチドが二本鎖形態に変換する。形態におけるこの変化により、ブラウン運動が低下し、続いて異方性が上昇する。蛍光異方性測定は、各々の一対の試料に対して行った。表Ｉに示すこれらの測定結果は、二本鎖複合体の形成における測定誤差にわたり、少なくとも２０倍蛍光異方性が上昇することを実証している。
【００３５】
【表１】
2004004128.tif 000002
【００３６】
　ハイブリダイゼーション・アッセイにも通常用いられるような、該オリゴヌクレオチドが８-１０塩基長であった場合や、該標的配列が一本鎖プラスミドＤＮＡであった場合には、該変化ははるかに大きくなっていたであろう。かくして、該二本鎖の２０merの形成の検出は、小さなオリゴヌクレオチドが大きな一本鎖ＤＮＡ分子に結合する場合に典型的に含まれている大きさの相違よりかなり小さなものである。
【００３７】
　核酸の測定に基づく該アッセイは、特定の突然変異の存在の遺伝子マッピングおよび臨床測定に適用できる。それは、また、アンチ-センスＤＮＡ/ＲＮＡ核酸による翻訳阻害、臨床診断における適用の潜在性を有する技術、または他の生物医療分野の評価にも用いることができる。本明細書中に記載している該蛍光異方性測定は、自動アッセイを単純化するであろう特徴を有する完全に溶液ベース(すなわち、固形支持体を必要としない)である。結論として、本発明は、迅速、正確、再現性があり、単純な、核酸と他の巨大分子との相互作用のための定量アッセイに関する。
【００３８】
　実施例６：組織生検におけるＤＮＡ結合蛋白質の機能のための臨床アッセイ
　本発明の方法は、臨床的な設定での使用が見い出されることが期待される。エストロゲン受容体はＤＮＡ結合蛋白質であって、その二機能性は肺ガンの原因論に含まれているとされている。本明細書に記載するのは、肺組織からの生検中の機能性エストロゲン受容体をアッセイするのに用いることができる方法である。
【００３９】
　フラナガン(Ｆlanagan)ら(１９)により記載されているごとき、温和な摩砕および遠心分離により生検組織から細胞抽出物が調製されるであろう。共通のエストロゲン反応性要素(estrogen response element)(ＥＲＥ)を形成する二本鎖オリゴデオキシリボヌクレオチドは、オリゴヌクレオチド対の自動合成により調製できる。センス鎖用の好ましい配列は、
５'-Ｆ-ＧＧＴＣＡＣＴＧＴＧＡＣＣ-３'
であり、式中、該発蛍光団(Ｆ)は、合成の最終的なヌクレオチド付加工程における蛍光-標識ホスホルアミダイト・リンカーの使用によって取り込まれる。このオリゴヌクレオチドは自己相補的である。溶液中における該オリゴヌクレオチドのアニーリングにより、各５'末端が発蛍光団で標識された二本鎖オリゴヌクレオチド(＊ＥＲＥ)が提供される。
【００４０】
　該蛍光偏光測定を行うための緩衝液は、０.２ｍＭのＥＤＴＡを含む、ｐＨ７.９、１０％のグリセリン、８０ｍＭのＫＣlである。測定は、室温にて行われる。　ＥＲＥオリゴヌクレオチドを含有しない細胞抽出物の蛍光強度(バックグラウンド)で予備実験を行う。これらの値は、細胞抽出物を含有するこれら試料の偏光解消の算出に用いる測定値から減ずる。細胞抽出物を含有しない溶液中の＊ＥＲＥ・オリゴデオキシリボヌクレオチドの蛍光偏光の予備測定も行う。次いで、アリコートの細胞抽出物を１ｐＭの該＊ＥＲＥオリゴデオキシリボヌクレオチドと混合し、該蛍光偏光を再度測定する。細胞抽出物の存在下で得た該偏光値と、無＊ＥＲＥの値との比較により、試料中に存在するエストロゲン受容体の結合機能の測定が供される。
【００４１】
　対照実験として、機能的なエストロゲン受容体を含有することが既知の細胞から調製した細胞抽出物を用いた結果を得、臨床試料から調製した抽出物からの結果と比較すべきである。
【００４２】
　該実験を最も明解に記載するために、試料製剤の例を表ＩＩに掲載する。
【００４３】
【表２】
2004004128.tif 000003
　ａ全ての量はμl
【００４４】
　試料中のエストロゲン受容体量を定量するため、該細胞抽出物を種々の量の標識＊ＥＲＥで滴定し、既知量の精製エストロゲン受容体および＊ＥＲＥを用いて得たスタンダード曲線で該結果を比較する。
【００４５】
　実施例７：組織生検由来のｍＲＮＡへのオリゴヌクレオチドハイブリダイゼーションによる遺伝子における特異的点突然変異についての臨床検査
　コレステロールレセプター遺伝子における特異的突然変異は、高コレステロール血症を誘発することが見いだされた。その症状は、循環中のコレステロールレベルを制御するための測定が行われない場合、動脈疾患により患者を早期に死亡させる。新生児期または出生前の遺伝子試験による症状の早期検出、かくして、早期介入は、罹患している個々のためのより良好な予後のために提供すると予想される。したがって、この実施例には、オリゴヌクレオチドプローブへの結合のためのｍＲＮＡのアッセイによるコレステロールレセプター遺伝子における突然変異の検出方法が記載される。この方法は、もちろん、他の突然変異の検出に一般化される。
【００４６】
　当該技術分野で知られている方法によって５'末端が標識された８−１０塩基オリゴヌクレオチドは、家族性高コレステロール血症を有する患者において突然変異されていることが予め示された野生型コレステロールレセプター遺伝子のｍＲＮＡ転写物のこれらの部分と相補的であるように設計される。各オリゴヌクレオチドは、その長さおよびＧＣ含量を変化させることによって、１つのミスマッチ塩基対を除いては、全体的に相補的である配列への結合時にＴｍ（オリゴとハイブリダイズした相補鎖との間の二本鎖の融解温度）の同様の低下を提供するように設計する。野生型ｍＲＮＡが各オリゴヌクレオチドに大部分ハイブリダイズされたままであるが、高コレステロール血症の原因であると観察された突然変異を予防する患者のパネルの肝臓生検から得られたｍＲＮＡが突然変異領域における野生型配列に相補的なオリゴヌクレオチドによってハイブリダイズされない温度を測定するための実験を行う。
【００４７】
　組織１００ｍｇから、一般的に、約１ピコモルの特異的な１キロベースｍＲＮＡが得られる。１ｍｌの容量において、これは、１ｎＭの特異的ｍＲＮＡに相当する。１：１ハイブリダイゼーションについて、１ｎＭ蛍光標識オリゴヌクレオチドを使用する。この試料の大きさは、容易に検出されるシグナルを提供する；かくして、より小さな試料を使用することができる。単独で、約１ｎＭの野生型ｍＲＮＡと混合した、および、約１ｎＭの臨床試料由来のｍＲＮＡと混合したオリゴヌクレオチドの蛍光偏光は、各々、最初の実験で、野生型および突然変異ｍＲＮＡ配列にオリゴヌクレオチドを結合させる際に最大の相違を提供することが判明した温度で測定される。野生型ｍＲＮＡを含有する組織は、オリゴヌクレオチド単独について観察されたものよりも大きな偏光を示すが、突然変異ｍＲＮＡを含有する組織は、オリゴヌクレオチド単独のものと同等の偏光を示すことが観察される。
【００４８】
　対照実験として、標識オリゴヌクレオチドの不在下でのｍＲＮＡ調製物の蛍光発光を、発光偏光の各平面において測定する。ハイブリダイゼーション実験で行われた各測定から、これらのバックグランド値を引く。
【００４９】
　実施例８：高感度の蛍光偏光測定用装置
　第５図に示された線図は、本発明を実施するのに必要な感度を有する装置を製造するためのＩＳＳコアラ（ＫoalaＴＭ）蛍光測定法に対して行われた変更を示す。変更は、(１)光路を３０ｃｍから２０ｃｍに減縮させ；(２)１ｃｍの試料ホルダー内に発光レンズを設置し；(３)グラン・トンプソン（Ｇlan Ｔhompson）偏光子を試料ホルダー上に直接装着したＵＶ用フィルム偏光子に置き換えることを含む。これらの改良は、劇的に、装置の感度を増大させる。これらの変更によって達成された感度の増大を示すために行われた試験において、以下の配列を有する蛍光的に標識化された２５ｍｅｒオリゴヌクレオチドを使用した。
5'-F-ATCGAACTAGTTAACTAGTACGCAA-3'
第III表に示すとおり、本発明者らは、当該図面に示したアルゴンイオン源よりもむしろキセノンアークランプ励起源を使用して、５００μｌ中９ｐＭの濃度のオリゴヌクレオチドを検出することができた。これは、変更していない装置と比較して１０倍の感度の増大を示す。本発明者らが偏光において１０％の変化を検出することができるとすれば、本発明者らは、溶液中の０.９ｐＭのタンパクまたは核酸または合成ポリマーを検出することができる。感度のこのレベルは、４５０アトモルの巨大分子に相当する。
【００５０】
【表３】
2004004128.tif 000004
【００５１】
　変更した装置の感度は、２つのさらなる変更によって改良することができる。(１)シャープな帯域励起フィルターを含むことは、１０倍のファクターだけ感度を増加させる。(２)ここに記載した試験で使用されるキセノンアークランプをアルゴンイオンレーザー光源に代えることは、励起ビームの増大した強度ならびにその単色性および偏光した性質によりさらに１００倍だけ強度を増大させる。本発明者らは、バックグラウンド制限され、かつ、基本的なＩＳＳ装置におけるモノクロメーターは、迷光拒絶時に良好ではないので、バックグランド強度のほとんどは、走査された励起光から生じる。レーザーについては、４８８ｎｍ光だけであり、かくして、他の波長の迷光は、試料中に入らない。第二に、レーザー光は、平面偏光され、励起偏光子の必要性をなくす。最後に、蛍光強度は、励起源強度に正比例しており、レーザーは、小さなレーザーでさえ、キセノンアークランプよりも大きな力を与える。変更されたデザインにおいて、ランプ励起源の使用が検出レベルをノイズ制限よりもむしろバックグランド制限させるので、利得の付随増加による希釈は、感度を増大させなかった。かくして、感度の１０増大のもう１つのファクターは、励起する迷光を消失させることができる場合に、利用可能である。
【００５２】
　かかる本発明の記載により、本明細書に記載された物質および方法の様々な変更は、当業者である本発明の実施者に明らかである。本発明についてのかかる変更は、特許請求の範囲に記載される発明の範囲内であると解される。
【００５３】
　引用文献
　本明細書中で、以下の引用文献が引用される。以下の引用文献の各々は、出典明示により本明細書の一部とする。
　米国特許
　１．第４,２６９,５１１号　５／１９８１　アーウィン（Ｅrwin)。
　２．第４,５１６,８５６号　５／１９８５　ポペルカ（Ｐopelka)。
　３．第４,５８５,８６２号　４／１９８６　ワン,シー-エイチ（Ｗang,Ｃ-Ｈ)ら。
　４．第４,６６８,６４０号　５／１９８７　ワン,シー-エイチら。
　５．第４,７８４,９６１号　１１／１９８８　ラッセル（Ｒussell)。
　６．第４,９０２,６３０号　２／１９９０　ベネット,エル・ジー（Ｂennet,Ｌ.Ｇ.）およびチアペッタ,ジー（Ｃhiapetta,Ｇ.)。
　７．第４,９５２,６９１号　８／１９９０　ワンら。
　８．第５,０６６,４２６号　１１／１９９１　ワンら。
　他の文献
　９．パルー,ジェイ・エル（Ｐaluh,Ｊ.Ｌ.）およびヤノフスキー,シー
（Ｙanofsky,Ｃ.）（１９８２）ヌークリイック・アシッズ・リサーチ（Ｎucl.Ａcids Ｒes.）１４、７８５１−６０。
　１０．チョウ,ダブリュ-ワイ（Ｃhou,Ｗ-Ｙ)、ブーバー,シー（Ｂuber,Ｃ.）およびマシューズ・ケイ・エス（Ｍatthews Ｋ.Ｓ.）（１９８９）ジャーナル・オブ・バイオロジカル・ケミストリー（Ｊ.Ｂiol.Ｃhem.)、２６４、１８３０９−１３。
　１１．ケアリー,ジェイ（Ｃarey,Ｊ.)、（１９８８）プロシーディングズ・オブ・ナショナル・アカデミー・オブ・サイエンシズ（Ｐroc.Ｎatl.Ａcad.Ｓci.）８５、９７５−９。
　１２．ゲスト,シー・アール、ホクストラーセル,アール・エイ（Ｈochstrasser,Ｒ.Ａ.)、デュピュイ,シー・ジー（Ｄupuy,Ｃ.Ｇ.)、アレン,ディ・ジェイ
（Ａllen,Ｄ.Ｊ.)、ベンコヴィク,エス・ジェイ（Ｂenkovic,Ｓ.Ｊ.）およびミラー・ディ・ピー（Ｍiller Ｄ.Ｐ.）（１９９１）バイオケミストリー（Ｂiochemistry）３０、８７５９−７０。
　１３．ハイドゥク,ティ（Ｈeyduk,Ｔ.）およびリー,ジェイ・シー（Ｌee,Ｊ.Ｃ.）（１９９０）プロシーディングズ・オブ・ナショナル・アカデミー・オブ・サイエンシズ、８７ １７４４−８。
　１４．ビーチャム,ジェイ・エム（Ｂeecham,Ｊ.Ｍ.)、（１９９２）メソッズ・イン・エンザイモロジー（Ｍethods in Ｅnzymology）第２１０巻、第３７−５３頁。
　１５．ユーリオス,ピー（Ｕrios,Ｐ）およびシタノヴァ,エヌ（Ｃittanova,Ｎ.）（１９９０）Ａnal.Ｂioc.１８５ ３０８−１２。
　１６．ジエドロク,ディ・ピー（Ｇiedroc,Ｄ.Ｐ.)、カン,アール（Ｋhan,Ｒ.）およびバーナート,ケイ（Ｂarnhart,Ｋ.）（１９９１）バイオケミストリー（Ｂiochem.）３０ ８２３０−４２。
　１７．ムラカミ,エイ（Ｍurakami,Ａ.)、ナカウラ,エム（Ｎakaura,Ｍ.)、ナカツジ,ワイ（Ｎakatsuji,Ｙ.)、ナガハラ,エス（Ｎagahara,Ｓ.)、トラン−コン,キュー（Ｔran-Ｃong,Ｑ.)、および１８．マキノ,ケイ（Ｍakino,Ｋ.)（１９９１）ヌークリイック・アシッズ・リサーチ、１９、４９０７−４９１２。
　１９．ピー・エム・フラナガン（Ｐ.Ｍ.Ｆlanagan）ら（１９９２）プロシーディングズ・オブ・ナショナル・アカデミー・オブ・サイエンシズ・ユー・エス・エイ（Ｐroc.Ｎatl.Ａcad.Ｓci.ＵＳＡ)、８９：７６５９−７６６３。
　２０．シー・エイ・ロイヤー（Ｃ.Ａ.Ｒoyer）ら、（１９９０）アナリティカル・バイオケミストリー（Ａnal.Ｂiochem.）１９１：２８７−２９４。
【図面の簡単な説明】
【００５４】
【図１Ａ】精製されたトリプトファンリプレッサー蛋白での、ｔｒｐオペレーター配列を含有するフルオレセイン標識二本鎖オリゴヌクレオチドの力価測定を示す。緩衝液の条件は、０.４ｍＭ Ｌ−トリプトファン存在下における１０ｍＭリン酸、０.１ｍＭ ＥＤＴＡ、１０％グリセロール（pＨ７.６）であった。試料の全容量は７００μｌであった。フルオレセイン標識オリゴヌクレオチドの濃度は２００ｐＭであった。蛍光の異方性を、モノマーとして表した蛋白濃度の対数の関数としてプロットする。点を結ぶ線は、モノマー／ダイマー平衡がダイマーＤＮＡ結合平衡にカップリングしたモデルにてのデータの非線形解析を表す。
【図１Ｂ】精製されたトリプトファンリプレッサー蛋白での、ｔｒｐオペレーター配列を含有するフルオレセイン標識二本鎖オリゴヌクレオチドの力価測定を示す。緩衝液の条件は、０.４ｍＭ Ｌ−トリプトファン存在下における１０ｍＭリン酸、０.１ｍＭ ＥＤＴＡ、１０％グリセロール（pＨ７.６）であった。試料の全容量は７００μｌであった。フルオレセイン標識オリゴヌクレオチドの濃度は２００ｐＭであった。蛍光の異方性を、モノマーとして表した蛋白濃度の対数の関数としてプロットする。点を結ぶ線は、モノマー／ダイマー平衡がダイマーＤＮＡ結合平衡にカップリングしたモデルにてのデータの非線形解析を表す。
【図１Ｃ】単純な結合スキームおよび蛋白−蛋白および蛋白−ＤＮＡ結合相互作用スキームについての自由エネルギーダイアグラムを示す。データは、図１Ａおよび１Ｂに示すごとく、これらの２つのモデルを用いて適合させた。
【図１Ｄ】単純な結合スキームおよび蛋白−蛋白および蛋白−ＤＮＡ結合相互作用スキームについての自由エネルギーダイアグラムを示す。データは、図１Ａおよび１Ｂに示すごとく、これらの２つのモデルを用いて適合させた。
【図２】図１Ｃで与えられた熱力学的モデルについての、Ｘ２（縦軸）とｋｃａｌ単位の自由エネルギー（横軸）とのプロットを示す。
【図３】ｔｒｐオペレーター配列を含有する合成オリゴヌクレオチドに対するｔｒｐリプレッサーの結合プロフィールのオリゴヌクレオチドの濃度への依存性を示す。形成された複合体の化学量論は、蛋白およびオリゴヌクレオチドの絶対的および相対的濃度のわずかに関数となっている。かくして、第１プラトーは低ＤＮＡ濃度においてより明らかな地点にて到達し、続いて、より高秩序の複合体が形成されるに従って異方性がさらに増加する。ＤＮＡ濃度は２００ｐＭ、１ｎＭ、および２０ｎＭであった。
【図４】オペレーターオリゴヌクレオチドに対するｔｒｐリプレッサー蛋白の結合のトリプトファンの濃度への依存性を示す。中抜き丸印は、４.０ｍＭトリプトファンの存在下における１ｎＭオリゴヌクレオチドへの蛋白の結合を表し、中抜き三角印は０.４ｍＭトリプトファンの存在下における結合を示し、中抜き菱形は４０μＭトリプトファンの存在における結合を示し、また、塗りつぶした丸印はトリプトファンコリプレッサーの不存在下における結合プロフィールを示す。
【図５】ランプをベースとした、Ｔ−フォーマットの高感度偏光フルオロメーターの平面図。
【図６】レーザーをベースとした、Ｔ−フォーマットの高感度偏光フルオロメーターの平面図。
【図７】ランプをベースとした、Ｌ−フォーマットの高感度偏光フルオロメーターの平面図。
【図８】レーザーをベースとした、Ｌ−フォーマットの高感度偏光フルオロメーターの平面図。
【図９】繊維オプティックのランプをベースとしたＴ−フォーマットの高感度偏光フルオロメーターの詳細な平面図であり、特に、試料室およびフイルム偏光子の配置の詳細を示す。
【図１Ａ】
2004004128.tif 000005
【図１Ｂ】
2004004128.tif 000006
【図１Ｃ】
2004004128.tif 000007
【図１Ｄ】
2004004128.tif 000008
【図２】
2004004128.tif 000009
【図３】
2004004128.tif 000010
【図４】
2004004128.tif 000011
【図５】
2004004128.tif 000012
【図６】
2004004128.tif 000013
【図７】
2004004128.tif 000014
【図８】
2004004128.tif 000015
【図９】
2004004128.tif 000016